(57)【要約】【課題】    従来の肩当ては、変形しない棒状のもので、ヴァイオリンの裏板下方に装着し、あごと肩の間にヴァイオリンを挟んで演奏していたが、ヒトの肩の形状は様々なので、不安定で演奏に悪影響したり、肩痛を起こしたりすることがあった。また、ヴァイオリンの裏板は表板と共に振動する部分であり、振動を抑制して音量の低下と音質の悪化を来たした。【解決手段】    本発明の肩当てを装着したヴァイオリンは、肩に接触するベルトが体格に応じて変形してフィットし、構えようとするヴァイオリンの高さと向きを個々人で調整することができ、むだな力なしに演奏できる。肩当てとヴァイオリンは3つのフック先端が下部コーナーブロック部とボトムブロック部の3点のみで接触し、それ以外では接触しないし、演奏者の肩もヴァイオリンには直接接触しないので、振動の抑制が最小限で、音量の低下や音質の悪化を最小限にできる。【選択図】  図10
2011112981.tif 000002
【特許請求の範囲】
【請求項１】
ベルトで肩に接する３点支持のヴァイオリン用肩当て。この肩当ては  台木（図3エ、図4エ）と、これに取り付けた左右のベルトリング（図3オ左、図3オ右、図4オ左、図4オ右）とベルトリングを台木に装着するための支持具（図3カ、図4カ）、ベルト（図3キ、図4キ）、ヴァイオリンに装着するための二種類3本のフック（図3ク、図3ケ、図4ク、図4ケ）とこれらを装着するためのねじ類からなっている。ベルトはベルトリングに通して図4のように左右のベルトリングに橋渡しをして装着する。これらの部品を図3、図4のように組み立てて  一個の肩当てとする。
【発明の詳細な説明】
【技術分野】
【０００１】
この発明はベルトで肩に接する３点支持のヴァイオリン用肩当てに
関するものである。
【背景技術】
【０００２】
ヴァイオリン（図1ア）の演奏はヴァイオリンの裏板（図1イ）の下方のふくらみの左右端に、棒状の変形しない、あるいは形を変えることが限られている肩当て（図1ウ）を装着し、肩当てを装着したヴァイオリンを演奏者の顎と肩の間に挟んで固定して保持し（図2）、左手でネックを持ち左指で弦を押さえ、右手に弓を持って弦を弓で擦って行われる。
【先行技術文献】
【特許文献】
【０００３】
【特許文献１】特表平04-501020号公報
【特許文献２】特表平04-503577号公報
【発明の開示】
【発明が解決しようとする課題】
【０００４】
解決しようとする課題のひとつは、ヒトの肩や首の形状は  個人によって様々であり、あごと肩で挟む、従来の棒状の肩当てでは肩にフィットさせることが難しい演奏者が多くいた。とくに首の長い演奏者やなで肩の演奏者にはヴァイオリンを安定して保持できない場合が多かった。肩当てが演奏者に合わない場合、肩当てを装着したヴァイオリンを演奏者の肩とあごで挟み強い力を入れて保持しなければならないため、スムーズな演奏を阻害したり、肩痛を起こしたりした。
解決しようとする課題のもうひとつは、従来の肩当ては裏板の下方のふくらみの左右端に装着するものであったが（図1）、ここは板が振動して音を発生する部分の両端であるため、肩当てが挟む力によりヴァイオリンの裏板の振動をさまたげ、音量を低下させたり、音質の悪化を生じさせた。
本発明は以上のような欠点をなくすためになされたものである。
【課題を解決するための手段】
【０００５】
この肩当ては  台木（図3エ、図4エ）と、これにねじで取り付けた支持具（図3カ、図4カ）、支持具にねじで取り付けた左右のベルトリング（図3オ左、図3オ右、図4オ左、図4オ右）とベルト（図3キ、図4キ）、肩当てをヴァイオリンに装着するための二種類3本のキズ防止ゴム（図3ツ、図4ツ）付きフック（図3ク、図3ケ、図4ク、図4ケ）とフックを台木に装着するためのねじから構成されている。ベルトリング（オ右、オ左）は支持具（カ）に取り付ける際、長円形のねじ穴（図4ト）にねじを通してベルトリングの輪（図3テ、図4テ）から台木までの距離を決めてねじで締めて固定する。支持具（カ）は台木にねじで取り付けてベルトリングの角度を調整する。ベルトはベルトリングのリングに通し（図3）、左右のベルトリングに橋渡しをして（図4）面ファスナーで圧着して長さを決める。ヴァイオリンは大きさが個体で少々異なるので、フック（ケ）は長円形のねじ穴を開けヴァイオリンの大きさに合わせて台木に固定できるようになっている。以上、図4のように組み立てて一個の肩当てとする。
―
2 ―      
ヴァイオリンの構造は内部から見ると4個の左右上下のコーナーブロック（図5コ下左、コ下右、コ上左、コ下左）とアッパーブロック（図5サ）とボトムブロック（図5シ）の計6個の柱で表板（図5ス）と裏板（図5セ）を挟む構造となっている。表板と裏板は振動して音を発生するが、このブロックの部分は表板と裏板の支えであり演奏中あまり振動しない。今回製作した肩当てのヴァイオリンへの装着は、ヴァイオリンのボトムブロック（シ）と２箇所のコーナーブロック（サ下右、サ下左）の位置に相当する裏板の３点（図6ソ、タ、チ）で、フック（ク、ケ）を裏板からつかんで支えるように装着する（図7）。2種類3本のフック（ク、ケ）は角度（図12ニ、ヌ）が付いており、フックや台木がヴァイオリンの胴に接触することはない。すなわち肩当てとヴァイオリンは3つのフック先端の3点のみで接触し、それ以外では接触しない。この肩当てを装着したヴァイオリンを演奏すべく構えると  図8、図9および図10のようになる。ベルト（図8キ、図9キ、図10キ）は布で出来ており、左右ベルトリングの間で自由に変形し肩の形状にフィットするので、体格の個人差に関わらず安定してヴァイオリンを肩で支えることができる。ベルトリング（オ）と支持具（カ）の固定位置によりベルトの向きとベルトから台木（エ）までの高さを変更できるので、演奏者個々人の首の長さや構え方に対応できる。また、長さを面ファスナーの接着位置によりベルトリング間の橋渡しの長さを変えることができるので、ベルト自体ででも肩当ての高さを増減できる。
【発明の効果】
【０００６】
演奏者が首の長い、あるいはなで肩の体型であっても肩の形状に合い  少しの力で安定してヴァイオリンが支えられるようになり演奏がより容易となり、肩痛も少なくなった。
肩当てとヴァイオリンは、下部コーナーブロックとボトムブロックの位置の3点（ソ、タ、チ、）以外では接触しないような構造なので、肩当てがヴァイオリン本体の振動の抑制を起こして音量低下の原因になったり、音質を悪化させていた問題が解決された。
【発明を実施するための最良の形態】
【０００７】
以下、本発明の実施例について説明する。
ベルト（キ）はベルトリング（オ左、オ右）の輪に通しておく。本肩当てのベルトリング（オ左、オ右）を個々人の首、肩の形状に合うよう高さと向きを調整し、支持具（カ）にねじで締めて固定し、さらにこの支持具（カ）を台木にねじで締めて固定し演奏中動かないようにする。本肩当ての3つのフック（ク、ケ）を図3のように装着して、フック（ク）の取り付けねじは締めて固定し、はフック（ケ）の取り付けねじは緩めておく。2つのフック（ク）先端をヴァイオリンの裏板の下部のコーナーブロックの位置（ソ、タ）に引っ掛け、1つのフック（ケ）先端を裏板のボトムブロックの位置に置き、挟むように長円形のねじ穴に沿い、フック（ケ）と台木（エ）を寄せて、ヴァイオリンに噛み合ったところでねじで締めてヴァイオリンに固定する（図7）。ベルト（キ）を肩に当て、ヴァイオリンをあごとベルトの間に挟んで演奏する（図8、図9、図10）。ベルト（キ）のベルトリング間の橋渡しの長さは面ファスナーの接着位置を変えて調節できるので、体型に合わせて肩当ての高さをベルトによっても調整できる。ベルトによる高さの調節はベルトリングによる高さの調節より迅速に可能である。
【図面の簡単な説明】
【０００８】
【図１】は従来の肩当てをヴァイオリンに装着した図である。
【図２】は従来の肩当ての使用図である。
【図３】は本発明のヴァイオリン側から見た図である。ベルトはベルトリング右（オ右）から              外した状態である。
【図４】は本発明の肩側から見た図である。
【図５】はヴァイオリンの胴体部の内部構造の図である。
【図６】はヴァイオリン胴体の裏面の図である。
【図７】は本発明をヴァイオリンに装着した図である。
【図８】は本発明の実施図である。
【図９】は本発明の実施図である。
【図１０】は本発明の実施図である。
【図１１】は本発明の部品図である。
【図１２】は2種類のフックの斜視図である。
【符号の説明】
【０００９】
ア  はヴァイオリン、
イ  はヴァイオリンの裏板、
ウ  は従来の肩当て
エ  は台木
オ右  はベルトリング右
オ左  はベルトリング左
カ  は支持具
キ  はベルト
ク  はコーナーブロック部に掛けるフック
ケ  はボトムブロック部に掛けるフック
コ上右、コ上左、コ下右、コ下左  はヴァイオリンの4つのコーナーブロック
サ  はヴァイオリンのアッパーブロック
シ  はヴァイオリンのボトムブロック
ス  はヴァイオリンの表板
セ  はヴァイオリンの裏板
ソ  はヴァイオリンの裏板のコーナーブロック部
タ  はヴァイオリンの裏板のコーナーブロック部
チ  はヴァイオリンの裏板のボトムブロック部
ツ  はキズ防止ゴム
テ  はベルトリング（オ）のリング
ト  はベルトリング（オ）の長円形ねじ穴
ナ  はねじ類
ニ  はフックに付けられた角度
ヌ  はフックに付けられた角度
【図１】
2011112981.tif 000003
【図２】
2011112981.tif 000004
【図３】
2011112981.tif 000005
【図４】
2011112981.tif 000006
【図５】
2011112981.tif 000007
【図６】
2011112981.tif 000008
【図７】
2011112981.tif 000009
【図８】
2011112981.tif 000010
【図９】
2011112981.tif 000011
【図１０】
2011112981.tif 000012
【図１１】
2011112981.tif 000013
【図１２】
2011112981.tif 000014